【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
遊技を行う遊技機において、
データを記憶可能な記憶領域を有する記憶手段と、
前記記憶領域のうちプログラムの実行を許可する領域を設定可能な許可領域設定手段と、
特定アドレスを上位アドレスとし、命令毎に指定されるアドレスを下位アドレスとして、呼び出し対象のプログラムが格納されたアドレスを特定し、特定したアドレスのプログラムを呼び出して実行する呼び出し手段と、
を備え、
前記記憶領域は、
第１制御に係る第１プログラムが記憶される第１プログラム記憶領域と、
前記第１プログラムが用いる第１データが記憶される第１データ記憶領域と、
第２制御に係る第２プログラムが記憶される第２プログラム記憶領域と、
前記第２プログラムが用いる第１データが記憶される第２データ記憶領域と、
を含み、
前記第１プログラム記憶領域は、前記記憶領域の先頭アドレスから第１アドレスまでの領域であり、
前記第１データ記憶領域は、前記記憶領域の前記第１アドレスの次のアドレスから第２アドレスまでの領域であり、
前記第２プログラム記憶領域は、前記記憶領域の前記第２アドレスよりも後の第３アドレスから第４アドレスまでの領域であり、
前記第２データ記憶領域は、前記記憶領域の前記第４アドレスの次のアドレスから第５アドレスまでの領域であり、
前記記憶領域の前記第２アドレスの次のアドレスから前記第３アドレスの前のアドレスまでの領域及び前記第５アドレスの次のアドレスから最終アドレスまでの領域は、全ての領域に０が格納された未使用領域であり、
前記許可領域設定手段は、前記記憶領域の先頭アドレスから前記第１アドレスまでの領域と前記第３アドレスから前記第４アドレスまでの領域の各々について前記プログラムの実行を許可する領域として設定し、
前記特定アドレスは、前記第１プログラム記憶領域に含まれるアドレスの上位アドレスである、遊技機。
【請求項２】
遊技を行う遊技機において、
データを記憶可能な記憶領域を有する記憶手段と、
前記記憶領域のうち格納されたデータへのアクセスを許可する領域を設定可能な許可領域設定手段と、
特定アドレスを上位アドレスとし、命令毎に指定されるアドレスを下位アドレスとして、呼び出し対象のプログラムが格納されたアドレスを特定し、特定したアドレスのプログラムを呼び出して実行する呼び出し手段と、  
を備え、
前記記憶領域は、
第１制御に係る第１プログラムが記憶される第１プログラム記憶領域と、
前記第１プログラムが用いる第１データが記憶される第１データ記憶領域と、
第２制御に係る第２プログラムが記憶される第２プログラム記憶領域と、
前記第２プログラムが用いる第１データが記憶される第２データ記憶領域と、
を含み、
前記第１プログラム記憶領域は、前記記憶領域の先頭アドレスから第１アドレスまでの領域であり、
前記第１データ記憶領域は、前記記憶領域の前記第１アドレスの次のアドレスから第２アドレスまでの領域であり、
前記第２プログラム記憶領域は、前記記憶領域の前記第２アドレスよりも後の第３アドレスから第４アドレスまでの領域であり、
前記第２データ記憶領域は、前記記憶領域の前記第４アドレスの次のアドレスから第５アドレスまでの領域であり、
前記記憶領域の前記第２アドレスの次のアドレスから前記第３アドレスの前のアドレスまでの領域及び前記第５アドレスの次のアドレスから最終アドレスまでの領域は、全ての領域に０が格納された未使用領域であり、
前記許可領域設定手段は、前記記憶領域の先頭アドレスから前記第５アドレスまでの領域について一括して前記格納されたデータへのアクセスを許可する領域として設定し、
前記特定アドレスは、前記第１プログラム記憶領域に含まれるアドレスの上位アドレスである、遊技機。
【手続補正２】
【補正対象書類名】明細書
【補正対象項目名】０００６
【補正方法】変更
【補正の内容】
【０００６】
前記課題を解決するために、手段Ａに記載の遊技機は、
遊技を行う遊技機において、
データを記憶可能な記憶領域を有する記憶手段と、
前記記憶領域のうちプログラムの実行を許可する領域を設定可能な許可領域設定手段と、
特定アドレスを上位アドレスとし、命令毎に指定されるアドレスを下位アドレスとして、呼び出し対象のプログラムが格納されたアドレスを特定し、特定したアドレスのプログラムを呼び出して実行する呼び出し手段と、
を備え、
前記記憶領域は、
第１制御に係る第１プログラムが記憶される第１プログラム記憶領域と、
前記第１プログラムが用いる第１データが記憶される第１データ記憶領域と、
第２制御に係る第２プログラムが記憶される第２プログラム記憶領域と、
前記第２プログラムが用いる第１データが記憶される第２データ記憶領域と、
を含み、
前記第１プログラム記憶領域は、前記記憶領域の先頭アドレスから第１アドレスまでの領域であり、
前記第１データ記憶領域は、前記記憶領域の前記第１アドレスの次のアドレスから第２アドレスまでの領域であり、
前記第２プログラム記憶領域は、前記記憶領域の前記第２アドレスよりも後の第３アドレスから第４アドレスまでの領域であり、
前記第２データ記憶領域は、前記記憶領域の前記第４アドレスの次のアドレスから第５アドレスまでの領域であり、
前記記憶領域の前記第２アドレスの次のアドレスから前記第３アドレスの前のアドレスまでの領域及び前記第５アドレスの次のアドレスから最終アドレスまでの領域は、全ての領域に０が格納された未使用領域であり、
前記許可領域設定手段は、前記記憶領域の先頭アドレスから前記第１アドレスまでの領域と前記第３アドレスから前記第４アドレスまでの領域の各々について前記プログラムの実行を許可する領域として設定し、
前記特定アドレスは、前記第１プログラム記憶領域に含まれるアドレスの上位アドレスである。
上記課題を解決するために、本発明の手段１の遊技機は、
遊技を行う遊技機（スロットマシン１）において、
データを記憶可能な記憶領域を有する記憶手段（ＲＯＭ４１ｂ、ＲＡＭ４１ｃ）と、
前記記憶領域のうち所定制御（プログラムの走行、データアクセス）を許可する領域を設定可能な許可領域設定手段（メイン制御部４１によるＨＷパラメータに基づく設定）と、
を備え、
前記記憶領域は、
遊技の進行に係る遊技プログラム（遊技プログラム）が記憶される第１記憶領域（遊技プログラム領域）と、
前記遊技プログラムによって呼び出されるプログラムであり、遊技の進行に係わらない非遊技プログラム（非遊技プログラム）が記憶される第２記憶領域（非遊技プログラム領域）と、
前記第１記憶領域（遊技プログラム領域）及び前記第２記憶領域（非遊技プログラム領域）のうち後方に割り当てられた後方記憶領域（非遊技プログラム領域）の手前の領域に割り当てられた未使用領域（未使用領域１）と、
を含み、
前記許可領域設定手段は、前記第１記憶領域（遊技プログラム領域）と前記第２記憶領域（非遊技プログラム領域）の各々について前記所定制御（プログラムの走行、データアクセス）を許可する領域として設定する
ことを特徴としている。
この特徴によれば、遊技の進行に係わる遊技プログラムが記憶される第１記憶領域と、遊技プログラムによって呼び出されるプログラムであり、遊技の進行に係わらない非遊技プログラムが記憶される第２記憶領域と、がそれぞれ別個に割り当てられているとともに、第１記憶領域及び第２記憶領域のうち後方に割り当てられた後方記憶領域の手前の領域に未使用領域が割り当てられているため、遊技プログラムと、非遊技プログラムと、を記憶領域の違いに応じて容易に特定することができる。また、記憶領域のうち許可領域設定手段により設定された領域のみ所定制御が許可されるとともに、第１記憶領域と第２記憶領域の各々が所定制御を許可する領域として設定されるため、不正プログラムや不正データによる意図しない制御が行われてしまうことを防止できる。
【手続補正３】
【補正対象書類名】明細書
【補正対象項目名】０００７
【補正方法】変更
【補正の内容】
【０００７】
前記課題を解決するために、手段Ｂに記載の遊技機は、
遊技を行う遊技機において、
データを記憶可能な記憶領域を有する記憶手段と、
前記記憶領域のうち格納されたデータへのアクセスを許可する領域を設定可能な許可領域設定手段と、
特定アドレスを上位アドレスとし、命令毎に指定されるアドレスを下位アドレスとして、呼び出し対象のプログラムが格納されたアドレスを特定し、特定したアドレスのプログラムを呼び出して実行する呼び出し手段と、
を備え、
前記記憶領域は、
第１制御に係る第１プログラムが記憶される第１プログラム記憶領域と、
前記第１プログラムが用いる第１データが記憶される第１データ記憶領域と、
第２制御に係る第２プログラムが記憶される第２プログラム記憶領域と、
前記第２プログラムが用いる第１データが記憶される第２データ記憶領域と、
を含み、
前記第１プログラム記憶領域は、前記記憶領域の先頭アドレスから第１アドレスまでの領域であり、
前記第１データ記憶領域は、前記記憶領域の前記第１アドレスの次のアドレスから第２アドレスまでの領域であり、
前記第２プログラム記憶領域は、前記記憶領域の前記第２アドレスよりも後の第３アドレスから第４アドレスまでの領域であり、
前記第２データ記憶領域は、前記記憶領域の前記第４アドレスの次のアドレスから第５アドレスまでの領域であり、
前記記憶領域の前記第２アドレスの次のアドレスから前記第３アドレスの前のアドレスまでの領域及び前記第５アドレスの次のアドレスから最終アドレスまでの領域は、全ての領域に０が格納された未使用領域であり、
前記許可領域設定手段は、前記記憶領域の先頭アドレスから前記第５アドレスまでの領域について一括して前記格納されたデータへのアクセスを許可する領域として設定し、
前記特定アドレスは、前記第１プログラム記憶領域に含まれるアドレスの上位アドレスである。
本発明の手段２の遊技機は、
遊技を行う遊技機（スロットマシン１）において、
データを記憶可能な記憶領域を有する記憶手段（ＲＯＭ４１ｂ、ＲＡＭ４１ｃ）と、
前記記憶領域のうち所定制御（プログラムの走行、データアクセス）を許可する領域を設定可能な許可領域設定手段（メイン制御部４１によるＨＷパラメータに基づく設定）と、
を備え、
前記記憶領域は、
遊技の進行に係る遊技プログラム（遊技プログラム）が記憶される第１記憶領域（遊技プログラム領域）と、
前記遊技プログラムによって呼び出されるプログラムであり、遊技の進行に係わらない非遊技プログラム（非遊技プログラム）が記憶される第２記憶領域（非遊技プログラム領域）と、
前記第１記憶領域（遊技プログラム領域）及び前記第２記憶領域（非遊技プログラム領域）のうち後方に割り当てられた後方記憶領域（非遊技プログラム領域）の手前の領域に割り当てられた未使用領域（未使用領域１）と、
を含み、
前記第１記憶領域（遊技プログラム領域）及び前記第２記憶領域（非遊技プログラム領域）のうち前方に割り当てられた前方記憶領域（遊技プログラム領域）から前記後方記憶領域（非遊技プログラム領域）までの領域について一括して前記所定制御（プログラムの走行、データアクセス）を許可する領域として設定する
ことを特徴としている。
この特徴によれば、遊技の進行に係わる遊技プログラムが記憶される第１記憶領域と、遊技プログラムによって呼び出されるプログラムであり、遊技の進行に係わらない非遊技プログラムが記憶される第２記憶領域と、がそれぞれ別個に割り当てられているとともに、第１記憶領域及び第２記憶領域のうち後方に割り当てられた後方記憶領域の手前の領域に未使用領域が割り当てられているため、遊技プログラムと、非遊技プログラムと、を記憶領域の違いに応じて容易に特定することができる。また、記憶領域のうち許可領域設定手段により設定された領域のみ所定制御が許可されるとともに、第１記憶領域及び第２記憶領域のうち前方に割り当てられた前方記憶領域から後方に割り当てられた後方記憶領域までの領域が一括して所定制御を許可する領域として設定されるため、不正プログラムや不正データによる意図しない制御が行われてしまうことを防止できる。